(57)【要約】【課題】自動車で使用される無線通信機器に対するノイズ電磁波干渉を抑制することを目的とする。【解決手段】周波数選択板１０は、誘電体板１２と、誘電体板１２の板面に設けられた導電体層１４とを備える。周波数選択板１０は、さらに、導電体層１４に設けられ、それぞれが環形状を有する複数のループ状スロット１８を備える。ループ状スロット１８の四隅には、長方形のループ形状について１つの角を欠損させた形状を有する小ループ区間２４が形成されている。ループ状スロット１８は、縦方向に列をなし横方向に行をなすよう配列されている。【選択図】図１
2013183116.tif 000002
【特許請求の範囲】
【請求項１】
誘電体板と、
前記誘電体板の内部または板面に設けられた導電体層と、
前記導電体層に設けられ、それぞれが環形状を有する複数のループ状スロットと、
を備え、
各ループ状スロットは、
環形状を有する小ループ区間を有することを特徴とする、車両搭載用周波数選択板。
【請求項２】
請求項１に記載の車両搭載用周波数選択板において、
各ループ状スロットは、
方向を揃えて対向する２つの縦方向延伸区間と、
前記２つの縦方向延伸区間のそれぞれの両端の間を接続し、方向を揃えて対向する２つの横方向延伸区間と、を備え、
前記小ループ区間は、
前記２つの縦方向延伸区間および前記２つの横方向延伸区間が形成する環形状の四隅部分に形成され、
前記複数のループ状スロットは、縦方向および横方向に配列されていることを特徴とする、車両搭載用周波数選択板。
【請求項３】
誘電体板と、
前記誘電体板の内部または板面に設けられた導電体層と、
前記導電体層に設けられ、それぞれが環形状を有する複数のループ状スロットと、
前記導電体層に設けられ、各ループ状スロットの環形状の内側に配置され、それぞれが環形状を有して、結合共振する複数の小ループ状スロットと、
を備えることを特徴とする車両搭載用周波数選択板。
【発明の詳細な説明】
【技術分野】
【０００１】
本発明は、車両搭載用の周波数選択板に関し、特に、導電体層にスロットが設けられた周波数選択板に関する。
【背景技術】
【０００２】
自動車において、携帯電話、ディジタルテレビ、ＥＴＣ（Ｅｌｅｃｔｒｏｎｉｃ  Ｔｏｌｌ  Ｃｏｌｌｅｃｔｉｏｎ）、無線ＬＡＮ端末（Ｌｏｃａｌ  Ａｒｅａ  Ｎｅｔｗｏｒｋ）等の無線通信機器が用いられる機会が増えている。このような無線通信機器は、ノイズ電磁波の影響を受けた場合、本来の動作性能を十分に発揮できないことがある。
【０００３】
自動車の車室に到来するノイズ電磁波には、他の自動車の電気回路から発せられるものや、自らに搭載される電気回路から発せられるものがある。例えば、ハイブリッド自動車および電気自動車では、電池電圧を昇圧する昇圧コンバータ回路、交流直流変換を行うインバータ回路等が用いられている。これらの電気回路からは、スイッチングに基づくノイズ電磁波が発せられる。近年のハイブリッド自動車および電気自動車の普及により、ノイズ電磁波が無線通信機器に及ぼす影響、すなわち、無線通信機器に対するノイズ電磁波干渉は顕著になりつつある。
【０００４】
自動車のボデーは、接地導体としての金属で形成されることが多い。そのため、ボデーによる遮蔽効果によってノイズ電磁波を減衰させ、無線通信機器に対するノイズ電磁波干渉を抑制する設計が可能となる。
【０００５】
なお、下記の非特許文献１には、本願発明の技術的課題に関連する技術として、周波数選択板が記載されている。
【先行技術文献】
【非特許文献】
【０００６】
【非特許文献１】Mudar A.Al-Joumayly and Nader Behdad,"A Generalized Method for Synthesizing Low-Profile, Band-Pass Frequency Selective Surfaces With Non-Resonant Constituting Elements"IEEE Transactions on Antennas and Propagation, Vol.58, No.12, December 2010.
【非特許文献２】Tohru IWAI and Kennichi HATAKEYAMA.members."Frequency Selective Shielding Screen by Use of Artificial Media"IEICE TRANS CMMUN..VOL E88B.NO.8 AUGUST 2005.pp.3294-3299
【発明の概要】
【発明が解決しようとする課題】
【０００７】
上記のような金属製のボデーは、周波数選択性を持たせた設計が困難である。そのため、ノイズ電磁波のみならず、無線通信機器で使用される無線信号をも減衰させてしまうことがある。また、近年の自動車のボデーは、金属に代わって樹脂等で形成された部分が多く、ノイズ電磁波の遮蔽効果が弱い傾向にある。さらに、使用周波数の異なる複数の無線通信機器が用いられる場合には、ノイズ電磁波を減衰させる設計が困難となることが多い。
【０００８】
本発明は、自動車で使用される無線通信機器に対するノイズ電磁波干渉を抑制することを目的とする。
【課題を解決するための手段】
【０００９】
本発明は、誘電体板と、前記誘電体板の内部または板面に設けられた導電体層と、前記導電体層に設けられ、それぞれが環形状を有する複数のループ状スロットと、を備え、各ループ状スロットは、環形状を有する小ループ区間を有することを特徴とする。各ループ状スロットが有する小ループ区間の数は、１つまたは複数であってもよい。
【００１０】
また、本発明に係る車両搭載用周波数選択板においては、望ましくは、各ループ状スロットは、方向を揃えて対向する２つの縦方向延伸区間と、前記２つの縦方向延伸区間のそれぞれの両端の間を接続し、方向を揃えて対向する２つの横方向延伸区間と、を備え、前記小ループ区間は、前記２つの縦方向延伸区間および前記２つの横方向延伸区間が形成する環形状の四隅部分に形成され、前記複数のループ状スロットは、縦方向および横方向に配列されている。
【００１１】
また、本発明は、誘電体板と、前記誘電体板の内部または板面に設けられた導電体層と、前記導電体層に設けられ、それぞれが環形状を有する複数のループ状スロットと、前記導電体層に設けられ、各ループ状スロットの環形状の内側に配置され、それぞれが環形状を有して、結合共振する複数の小ループ状スロットと、を備えることを特徴とする。
【００１２】
また、本発明の一実施形態において、ループ状スロットは、スロットの一部の区間が導電体によって充填された充填区間を有していてもよい。
【００１３】
また、本発明の一実施形態においては、前記環形状は長方形とする。長方形の特別な場合として、正方形は長方形の概念に含まれるものとする。
【発明の効果】
【００１４】
本発明によれば、自動車で使用される無線通信機器に対するノイズ電磁波干渉を抑制することができる。
【図面の簡単な説明】
【００１５】
【図１】第１実施形態に係る周波数選択板の構成を示す図である。
【図２】周波数選択ブロックの構成を示す図である。
【図３】シミュレーション結果および実験結果を示す図である。
【図４】第１変形例に係る周波数選択板の周波数選択ブロックの構成を示す図である。
【図５】第２変形例に係る周波数選択板の構成を示す図である。
【図６】第２実施形態に係る周波数選択ブロックの構成を示す図である。
【図７】充填区間を有するループ状スロットおよび小ループ状スロットを備える、周波数選択ブロックの構成を示す図である。
【図８】導電体層が誘電体板の内部に設けられた周波数選択ブロックの構成を示す図である。
【発明を実施するための形態】
【００１６】
図１には、本発明の第１実施形態に係る周波数選択板１０の斜視図が示されている。この周波数選択板１０は、２つの透過周波数ｆ１およびｆ２において電磁波を透過させ、その他の周波数において電磁波を減衰させる。周波数選択板１０を自動車に用いることで、周波数ｆ１およびｆ２を使用周波数とする２種類の無線通信機器に対し、車室内におけるノイズ電磁波干渉を抑制することができる。
【００１７】
周波数選択板１０の構造について説明する。周波数選択板１０は、誘電体板１２、および、誘電体板１２の板面に設けられた導電体層１４を備える。図１には導電体層１４の側を正面とした図が描かれている。周波数選択板１０は、縦方向および横方向に配列された複数の周波数選択ブロック１６から構成される。図１には、縦方向に３個、横方向に３個、合計９個の周波数選択ブロック１６が配列された例が示されている。ただし、周波数選択板１０に用いられる周波数選択ブロック１６の数はこれに限られない。
【００１８】
図２（ａ）には、周波数選択ブロック１６の拡大図が示されている。また、図２（ｂ）には、周波数選択ブロック１６のＡＢ線断面図が示されている。周波数選択ブロック１６の導電体層１４には、ループ状スロット１８が形成されている。ループ状スロット１８は、導電体層１４における導電体を環形状に欠損させたスロットである。ループ状スロット１８は、方向を揃えて対向する２つの縦方向延伸区間２０と、２つの縦方向延伸区間２０のそれぞれの両端の間を接続し、方向を揃えて対向する２つの横方向延伸区間２２とを有する。
【００１９】
各縦方向延伸区間２０、および各横方向延伸区間２２は、中央部を環形状の内側方向に矩形状に凹ませた形状を有する。これによって、ループ状スロット１８の四隅には、長方形のループ形状について１つの角を欠損させた形状（導電体を充填させた形状）を有する小ループ区間２４が形成されている。
【００２０】
すなわち、ループ状スロット１８は、縦方向に２個、および、横方向に２個、合計４個の小ループ区間２４を、欠損部を中心方向に向けて配列し、隣接するループ状スロット１８を直線スロット２６で接続したものであるといえる。
【００２１】
誘電体板１２には、例えば、ガラス、プラスチック（ポリカーボネート樹脂、ＡＢＳ樹脂等）、セラミック等の誘電体材料が用いられる。市販の誘電体板として広く知られているものには、ＢＴ、レジン、ＦＲ−４等がある。誘電体層１２の材料としては、美観の面から透明なものを用いてもよいし、不透明なものを用いてもよい。また、導電体層１４には、例えば、金、銀、銅、アルミニウム、チタン等の金属材料が用いられる。誘電体板１２の材料としてガラスが用いられ、導電体層１４の材料として銀が用いられる場合には、ガラスの板面に銀ペーストをスクリーン印刷する工法を用いてもよい。また、誘電体板１２に導電体層１４を設ける工法には、各材料の性質に応じて、蒸着、スパッタリング、インモールド成形等を用いてもよい。その他、銅箔が接着された誘電体板に対し、薬品を用いたエッチングを施してもよい。
【００２２】
本実施形態に係る周波数選択板１０においては、ループ状スロット１８の一周の長さをおよそ一波長とする電磁波の周波数が、第１透過周波数ｆ１となる。したがって、ループ状スロット１８の縦方向延伸区間２０のスロットの長さをＬ１とし、横方向延伸区間２２のスロットの長さをＬ２とした場合、第１透過周波数ｆ１の電磁波の波長と２（Ｌ１＋Ｌ２）とがほぼ一致するようＬ１＋Ｌ２が決定される。すなわち、電磁波の伝搬速度をｖとすると、２（Ｌ１＋Ｌ２）≒ｖ／ｆ１である。
【００２３】
ただし、縦方向延伸区間２０における直線スロット２６の長さをａ１、縦方向延伸区間２０における、ループ状スロット１８の四隅をなす直線区間の長さをｂ１、横方向延伸区間２２における直線スロット２６の長さをａ２、横方向延伸区間２２における、ループ状スロット１８の四隅をなす直線区間の長さをｂ２として、Ｌ１＝ａ１＋２・ｂ１、Ｌ２＝ａ２＋２・ｂ２である。電磁波の伝搬速度ｖおよび電磁波の波長は、誘電体層１２の影響を考慮したものである。
【００２４】
また、本実施形態に係る周波数選択板１０においては、小ループ区間２４の長さ〜２（ｂ１＋ｂ２）の間の長さをおよそ一波長とする電磁波の周波数が第２透過周波数ｆ２となる。
【００２５】
ここで、第１透過周波数ｆ１の電磁波の波長と２（Ｌ１＋Ｌ２）とが必ずしも一致せず、第２透過周波数ｆ２の電磁波の波長と小ループ区間２４の長さとが必ずしも一致しない理由は、スロットの折れ曲がり部に境界条件が満たされるよう近傍電磁界が発生し、物理的な長さと電気長とに差異が生じるためである。
【００２６】
なお、ループ状スロット１８の幅Ｗ、直線スロット２６の長さ、ループ状スロット１８の縦方向の配列周期ｐ１および横方向の配列周期ｑ１は、第１透過周波数ｆ１および第２透過周波数ｆ２や、後述する反射損失特性、挿入損失特性等が最適化されるよう決定される。
【００２７】
次に、周波数選択板１０の動作について説明する。周波数選択板１０に電磁波が入射すると、ループ状スロット１８には、境界条件が満たされるような電磁界が励振される。具体的には、スロットの延伸方向に垂直な方向の電界と、その電界に垂直な方向の磁界が励振される。
【００２８】
まず、入射電磁波の周波数が第１透過周波数ｆ１である場合、ループ状スロット１８には、ループ状スロット１周の長さをおよそ一波長とする基本共振モード電磁界が励振され共振する。さらに、導電体層１４に形成された複数のループ状スロット１８は電気的または磁気的に結合する。したがって、第１透過周波数ｆ１の電磁波が入射されることで、複数のループ状スロット１８は結合共振し、入射電磁波が到来した側とは反対側に結合共振に基づく電磁波を放射する。
【００２９】
次に、入射電磁波の周波数が第２透過周波数ｆ２である場合、ループ状スロット１８には、小ループ区間２４の長さ〜２（ｂ１＋ｂ２）の間の長さををおよそ一波長とする小ループ共振モード電磁界が励振され共振する。また、小ループ区間２４は、自らが属するループ状スロット１８に属する他の小ループ区間２４と電気的または磁気的に結合する他、自らが属さない他のループ状スロット１８に属する他の小ループ区間２４と電気的または磁気的に結合する。したがって、第２透過周波数ｆ２の電磁波が入射されることで、複数の小ループ区間２４は結合共振し、入射電磁波が到来した側とは反対側に結合共振に基づく電磁波を放射する。
【００３０】
また、入射電磁波の周波数が第１透過周波数ｆ１、第２透過周波数ｆ２、および、その他の共振周波数のいずれでもない場合、ループ状スロット１８は非共振状態となる。これによって、周波数選択板１０を通過する電磁波は減衰する。
【００３１】
このような動作によって、周波数選択板１０は、第１透過周波数ｆ１および第２透過周波数ｆ２において電磁波を透過させる。また、第１透過周波数ｆ１および第２透過周波数ｆ２以外の周波数において電磁波を減衰させる。さらに、各透過周波数においては結合共振が用いられるため、各透過周波数において透過周波数帯域幅を広げ、反射損失および挿入損失を小さくすることができる。ここで、反射損失は、入射電磁波の電力をＰｉ、反射電磁波の電力をＰｒとしたときに、Ｓ１１＝１０ｌｏｇ（Ｐｒ／Ｐｉ）として定義される。本願明細書では、「反射損失が小さい」とは、Ｓ１１の絶対値が大きいことをいうものとする。これに従えば、反射損失が小さい程、反射電磁波の電力は小さいこととなる。また、挿入損失は、透過電磁波の電力をＰｔとしたときに、Ｓ２１＝１０ｌｏｇ（Ｐｔ／Ｐｉ）として定義される。本願明細書では、「挿入損失が小さい」とは、Ｓ２１の絶対値が小さいことをいうものとする。これに従えば、挿入損失が小さい程、透過電磁波の電力は大きいこととなる。
【００３２】
第１実施形態に係る周波数選択板１０の設計例について説明する。第１透過周波数ｆ１は、携帯電話で用いられる周波数１．５ＧＨｚとし、第２透過周波数ｆ２は、ＥＴＣで用いられる周波数５．８ＧＨｚとした。誘電体板１２には、厚さが３．０ｍｍ、比誘電率が２．９のポリカーボネートを用い、導電体層１４には銀を用いた。その他の設計値は次の通りである。
【００３３】
直線スロット２６の長さは、ａ１＝ａ２＝４．０ｍｍとした。各小ループ区間２４のうち、ループ状スロット１８の四隅をなす直線区間の長さは、ｂ１＝ｂ２＝１３．５ｍｍとした。また、縦方向延伸区間２０および横方向延伸区間２２における、凹み方向の長さは、ｄ１＝ｄ２＝５．０ｍｍとした。そして、ループ状スロット１８の幅は、ｗ＝２．０ｍｍとした。また、縦方向の配列周期ｐ１および横方向の配列周期ｑ１を３２．０ｍｍとし、縦方向に１５個、横方向に１５個の周波数選択ブロックを配列した。
【００３４】
図３には、この設計例における挿入損失特性および反射損失特性のシミュレーション結果および実験による測定結果が示されている。シミュレーション結果は、周波数選択ブロック１６が、縦方向および横方向に無限に配列され、板面に垂直に平面波が入射したものとして計算されたものである。測定値は、複数個の周波数選択ブロック１６を縦方向および横方向に配列し、平面波を透過させて実験を行って得られたものである。横軸は周波数を示し、縦軸は挿入損失および反射損失を示す。図３の符号「Ｓ１１Ｍ」で示される特性は、反射損失の測定結果を示し、図３の符号「Ｓ１１Ｔ」で示される特性は、反射損失のシミュレーション結果を示す。また、図３の符号「Ｓ２１Ｍ」で示される特性は、挿入損失特性の測定結果を示し、図３の符号「Ｓ２１Ｔ」で示される特性は、挿入損失特性のシミュレーション結果を示す。図３から明らかなように、１．５ＧＨｚ付近および５．８ＧＨｚ付近で、挿入損失および反射損失が小さくなっている。
【００３５】
次に、第１変形例に係る周波数選択板について説明する。図４には、その周波数選択ブロック２８の構成が示されている。図２に示される構成要素と同一の構成要素については同一の符号を付してその説明を省略する。第１変形例に係る周波数選択板は、図１の周波数選択板と同様、複数の周波数選択ブロック２８が、縦方向に所定の周期間隔ｐ１で配列され、横方向に所定の周期間隔ｑ１で配列された構成を有する。
【００３６】
周波数選択ブロック２８は、ループ状スロット３０が有する小ループ区間３２を、角のない丸められた形状としたものである。小ループ区間３２は、円弧形状であってもよいし、円弧形状を歪ませた形状であってもよい。このような周波数選択ブロック２８によれば、小ループ区間３２における高次の共振モード電磁界の共振周波数が、図２の小ループ区間２４に比べて高くなる。これによって、高域周波数帯における特性が改善されることが多い。
【００３７】
図５には第２変形例に係る周波数選択板３４の構成が示されている。図１および図２に示される構成要素と同一の構成要素については同一の符号を付してその説明を省略する。この周波数選択板３４は、図２に示される小ループ区間２４と同様の形状を有する小ループ区間３８を用いたものである。各ループ状スロット３６においては、３つの小ループ区間３８が、それぞれの角（小ループ区間３８をなす４つの直線区間のうち２つの長い直線区間による角）が三角形の頂点に対応するよう配置されている。隣接する２つの小ループ区間３８は直線スロット２６によって接続されている。図５の例では、３つの小ループ区間３８の角を頂点とする三角形は正三角形であり、３回転対称の形状のループ状スロット３６が形成されている。
【００３８】
図５に示されるように、複数のループ状スロット３６は、３つの小ループ区間３８の角がなす三角形の１つの辺が横方向となるよう複数行に亘って配置されている。１つの行において横方向に隣接するループ状スロット３６は、互いに上下の向きが逆になるよう配置されている。これらのループ状スロット３６についても、第１変形例のように各小ループ区間３８を角のない丸められた形状としてもよい。
【００３９】
本発明の第１実施形態に係る周波数選択板のループ状スロットにおいては、ループ状スロットに含まれる小ループ区間の形状は、第１および第２変形例で示されたような形状の他、三角形、五角形、六角形等、その他の多角形のループ形状の一部を欠損させた形状であってもよい。また、ループ状スロットには、１つまたは２以上の任意の数の小ループ区間を設けてもよい。さらに、ループ状スロットは、スロットの一部に導電体が充填された充填区間を有していてもよい。
【００４０】
次に、第２実施形態に係る周波数選択板について図６を参照して説明する。この実施形態は、周波数選択ブロック４０として、ループ状スロット４２の内側に複数の小ループ状スロット４４を配置したものである。図６には、ループ状スロット４２および小ループ状スロット４４として、長方形のものが示されている。ループ状スロット４２の内側には、それぞれの縦横の向きをループ状スロット４２の縦横の向きと揃えて、縦方向に２個、横方向に２個、合計４個の小ループ状スロット４４が配列されている。ただし、ループ状スロット４２に囲まれる領域における小ループ状スロット４４の数はこれに限られない。第２実施形態に係る周波数選択板は、第１実施形態に係る周波数選択板と同様、複数の周波数選択ブロック４０が、縦方向に所定の周期間隔ｐ１で配列され、横方向に所定の周期間隔ｑ１で配列された構成を有する。
【００４１】
周波数選択ブロック４０を用いた周波数選択板においては、ループ状スロット４２の一周の長さをおよそ一波長とする電磁波の周波数が第１透過周波数ｆ１となり、小ループ状スロット４４の一周の長さをおよそ一波長とする電磁波の周波数が第２透過周波数ｆ２となる。したがって、ループ状スロット４２の大きさは、第１透過周波数ｆ１に基づいて定められ、小ループ状スロット４４の大きさは、第２透過周波数ｆ２に基づいて定められる。
【００４２】
なお、ループ状スロット４２および小ループ状スロット４４の形状は、三角形、五角形、六角形等、その他の多角形としてもよい。この場合においても、ループ状スロット４２および小ループ状スロット４４のそれぞれの一周の長さは、透過させる電磁波のおよそ一波長の長さとする。また、ループ状スロット４２および小ループ状スロット４４の形状は、スロットの一部に充填区間のある環形状を有するものであってもよい。
【００４３】
図７には、ループ状スロット４２の下辺、および小ループ状スロット４４の上辺に、充填区間４８が設けられた周波数選択ブロック４０の構成が示されている。充填区間４８の長さは、第１透過周波数ｆ１および第２透過周波数ｆ２や、反射損失特性、挿入損失特性等が最適化されるよう決定される。
【００４４】
次に、周波数選択ブロック４０を用いた周波数選択板の動作について説明する。周波数選択板に電磁波が入射すると、ループ状スロット４２および小ループ状スロット４４には、境界条件が満たされるような電磁界が励振される。
【００４５】
まず、入射電磁波の周波数が第１透過周波数ｆ１である場合、ループ状スロット４２に励振された電磁界が共振する。さらに、導電体層１４に形成された複数のループ状スロット４２は電気的または磁気的に結合する。したがって、第１透過周波数ｆ１の電磁波が入射されることで、複数のループ状スロット４２は結合共振し、入射電磁波が到来した側とは反対側に結合共振に基づく電磁波を放射する。
【００４６】
次に、入射電磁波の周波数が第２透過周波数ｆ２である場合、小ループ状スロット４４に励振された電磁界が共振する。さらに、導電体層１４に形成された複数の小ループ状スロット４４は電気的または磁気的に結合する。したがって、第２透過周波数ｆ２の電磁波が入射されることで、複数の小ループ状スロット４４は結合共振し、入射電磁波が到来した側とは反対側に結合共振に基づく電磁波を放射する。
【００４７】
また、入射電磁波の周波数が第１透過周波数ｆ１、第２透過周波数ｆ２、および、その他の共振周波数のいずれでもない場合、ループ状スロット４２および小ループ状スロット４４は非共振状態となる。これによって、周波数選択板を通過する電磁波は減衰する。
【００４８】
第２実施形態に係る周波数選択板では、ループ状スロット４２および小ループ状スロット４４が個別に形成される。そのため、ループ状スロット４２および小ループ状スロット４４の形状が簡単となり、設計が容易になる。
【００４９】
しかし、小ループ状スロット４４がループ状スロット４２の内側に配列されるため、構成によっては、第１透過周波数ｆ１および第２透過周波数ｆ２を近づけることが困難となる場合がある。
【００５０】
これに対し、第１実施形態に係る周波数選択板では、ループ状スロットに小ループ区間が形成されている。これによって、ループ状スロットの大きさの設計範囲と、小ループ区間の大きさの設計範囲とに自由度が生じ、第１透過周波数ｆ１および第２透過周波数ｆ２の設定が容易となることが多い。
【００５１】
したがって、例えば、第１透過周波数ｆ１および第２透過周波数ｆ２が離れているという条件の下で構造を単純化させる場合には、第２実施形態に係る周波数選択板を採用する。また、第１透過周波数ｆ１および第２透過周波数の設定を容易化させ、第１透過周波数ｆ１および第２透過周波数ｆ２を近づける場合には、第１実施形態に係る周波数選択板を採用する。
【００５２】
上記では、第１透過周波数ｆ１を携帯電話の周波数１．５ＧＨｚとし、第２透過周波数ｆ２をＥＴＣで用いられる周波数５．８ＧＨｚとした場合についてシミュレーションおよび実験を行った。このような周波数構成の他、例えば、第１透過周波数ｆ１を携帯電話の周波数８００ＭＨｚとし、第２透過周波数ｆ２を携帯電話の周波数２ＧＨｚとする周波数構成を採用してもよい。また、第２透過周波数ｆ２を無線ＬＡＮの周波数２．４ＧＨｚとしてもよい。この場合においても、第１透過周波数ｆ１および第２透過周波数ｆ２に応じて、第１実施形態または第２実施形態のいずれかを採用すればよい。
【００５３】
上記の第１および第２実施形態では、導電体層１４を誘電体板１２の一方の板面に設けた構成について説明した。このような構成の他、導電体層１４を誘電体板１２の内部に設けた構成としてもよい。図８には２層の誘電体層１４の間に導電体層が形成された周波数選択板の周波数選択ブロック４６の構成が示されている。図８（ａ）は、上側の誘電体層である第１誘電体層５０を取り除いた場合における正面図である。また、図８（ｂ）は、周波数選択ブロック４６のＣＤ線断面図である。図２に示される構成要素と同一の構成要素については同一の符号を付してその説明を省略する。第１誘電体層５０と第２誘電体層５２との間には導電体層１４が形成されている。このような構成では、空気と第１誘電体層５０との間の境界面、第１誘電体層５０と導電体層１４との間の境界面、導電体層１４と第２誘電体層５２との間の境界面、および第２誘電体層５２と空気との間の境界面が、電磁波の伝搬媒質の不連続面となる。
【００５４】
周波数選択板の一方の面から電磁波が入射し、これらの不連続面の間で電磁波が多重反射し、多重反射の結果として他方の面から放射される電磁波の位相が揃った場合、多重反射に基づく共振伝送が可能となる。これによって、第１透過周波数ｆ１および第２透過周波数ｆ２における反射損失および挿入損失が小さくなることがある。したがって、第１誘電体層５０の厚さ、第２誘電体の厚さ、およびこれらの比誘電率は、反射損失特性および挿入損失特性が最適化されるよう決定される。
【００５５】
本発明に係る周波数選択板には、複数の導電体層を設けてもよい。例えば、誘電体板の両面に導電体層を設けてもよい。これによって、複数のループ状スロットによる共振特性が急峻になり、周波数選択特性が良好となる。
【００５６】
本発明に係る周波数選択板は、自動車の窓、ボデー等の一部あるいは全体に用いてもよい。また、車室におけるコンソールボックス、センタークラスタ等に用いてもよいし、ＥＣＵ（Ｅｎｇｉｎｅ  Ｃｏｎｔｒｏｌ  Ｕｎｉｔ）等の電気回路のケースに用いてもよい。これによって、車室における無線通信機器の通信品質を維持すると共に、他の自動車の電気回路から到来するノイズ電磁波を減衰させることができる。また、ＥＣＵが無線通信機能を有するものである場合には、車室において用いられる無線通信機器と同様のノイズ対策効果が得られる。
【００５７】
近年の自動車のボデーは、金属に代わって樹脂等で形成された部分が多く、ノイズ電磁波干渉の抑制効果が弱い傾向にある。そこで、ボデーのうち樹脂で形成された部分に周波数選択板を設けることで、ノイズ電磁波干渉の抑制効果を高めることができる。また、自動車の窓に周波数選択板を設けた場合には、太陽光の遮断によって車室の温度上昇を抑制することができる。
【符号の説明】
【００５８】
１０，３４  周波数選択板、１２  誘電体板、１４  導電体層、１６，２８，４０，４６  周波数選択ブロック、１８，３０，３６，４２  ループ状スロット、２０  縦方向延伸区間、２２  横方向延伸区間、２４，３２，３８  小ループ区間、２６  直線スロット、４４  小ループ状スロット、４８  充填区間、５０  第１誘電体層、５２  第２誘電体層。
【図１】
2013183116.tif 000003
【図２】
2013183116.tif 000004
【図３】
2013183116.tif 000005
【図４】
2013183116.tif 000006
【図５】
2013183116.tif 000007
【図６】
2013183116.tif 000008
【図７】
2013183116.tif 000009
【図８】
2013183116.tif 000010